(57)【要約】  本発明は基準信号をマッピングするための方法及び装置を開示し、１６ポート以上のＣＳＩ−ＲＳマッピングを具現することにより、１６ポート以上のＣＳＩ−ＲＳ送信を具現する。前記方法では、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、決定されたＲＥに従ってＣＳＩ−ＲＳをリソースにマッピングする。
2019537861.tif 000002
【特許請求の範囲】
【請求項１】
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、
決定されたＲＥに従ってＣＳＩ−ＲＳをリソースにマッピングすることを特徴とする基準信号をマッピングするための方法。
【請求項２】
前記Ｎは、２０、２４、２８または３２であることを特徴とする請求項１に記載の基準信号をマッピングするための方法。
【請求項３】
前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じであり、前記Ｎが３２のとき、前記Ｎ個のポートのうち８個のポートごとに８ビット直交拡散コードの８つのコードワードを利用してＣＳＩ−ＲＳを多重化し、または、前記Ｎが２８であるとき、前記Ｎ個のポートのうち７個のポートごとに８ビット直交拡散コードの７個コードワードを利用してＣＳＩ−ＲＳを多重化し、または、前記Ｎが２４であるとき、前記Ｎ個のポートのうち６つのポートごとに８ビット直交拡散コードの６つのコードワードを利用してＣＳＩ−ＲＳを多重化し、または、前記Ｎが２０であるとき、前記Ｎ個のポートのうちの５つのポートごとに８ビット直交拡散コードの５つのコードワードを利用してＣＳＩ−ＲＳを多重化し、
または、
前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化することを特徴とする請求項１または請求項２に記載の基準信号をマッピングするための方法。
【請求項４】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じであることを特徴とする請求項３に記載の基準信号をマッピングするための方法。
【請求項５】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、
通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、
通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、
通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置と
より構成されたＲＥ位置と同じであることを特徴とする請求項３に記載の基準信号をマッピングするための方法。
【請求項６】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、
通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、
スロット１の６番目のＯＦＤＭシンボル及び７番目のＯＦＤＭシンボル内の１グループの８ポートＣＳＩ−ＲＳと、
スロット０の６番目のＯＦＤＭシンボル及び７番目のＯＦＤＭシンボル内の１グループの８ポートＣＳＩ−ＲＳとのうちのいずれかの３グループの８ポートＣＳＩ−ＲＳがマッピングされるＲＥ位置と同様であることを特徴とする請求項３に記載の基準信号をマッピングするための方法。
【請求項７】
１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット０の３番目のＯＦＤＭシンボル及び４番目のＯＦＤＭシンボル内の１つのサブグループは、８ビット直交拡散コードを利用して８つのＲＥ上で多重化を行い、
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項４に記載の基準信号をマッピングするための方法。
【請求項８】
１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行い、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項５に記載の基準信号をマッピングするための方法。
【請求項９】
１１個または１２個のＯＦＤＭシンボルが含まれる１つのダウンリンクパイロットスロット（ＤｗＰＴＳ）において、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じであることを特徴とする請求項３に記載の基準信号をマッピングするための方法。
【請求項１０】
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じであることを特徴とする請求項３に記載の基準信号をマッピングするための方法。
【請求項１１】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳ、スロット０の３番目のＯＦＤＭシンボル及び４番目のＯＦＤＭシンボル内の１グループの８ポートＣＳＩ−ＲＳ、及び、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様であることを特徴とする請求項３に記載の基準信号をマッピングするための方法。
【請求項１２】
１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行い、
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項９に記載の基準信号をマッピングするための方法。
【請求項１３】
１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボ内の１つのサブグループは、前記スロット１の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項１０に記載の基準信号をマッピングするための方法。
【請求項１４】
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンである処理モジュールと、
前記処理モジュールによって決定されたＲＥに従ってＣＳＩ−ＲＳをリソースにマッピングするマッピングモジュールとを備えることを特徴とする基準信号をマッピングするための装置。
【請求項１５】
前記Ｎは、２０、２４、２８または３２であることを特徴とする請求項１４に記載の基準信号をマッピングするための装置。
【請求項１６】
前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じであり、前記Ｎが３２のとき、前記Ｎ個のポートのうち８個のポートごとに８ビット直交拡散コードの８つのコードワードを利用してＣＳＩ−ＲＳを多重化し、または、前記Ｎが２８であるとき、前記Ｎ個のポートのうち７個のポートごとに８ビット直交拡散コードの７個コードワードを利用してＣＳＩ−ＲＳを多重化し、または、前記Ｎが２４であるとき、前記Ｎ個のポートのうち６つのポートごとに８ビット直交拡散コードの６つのコードワードを利用してＣＳＩ−ＲＳを多重化し、または、前記Ｎが２０であるとき、前記Ｎ個のポートのうちの５つのポートごとに８ビット直交拡散コードの５つのコードワードを利用してＣＳＩ−ＲＳを多重化し、
または、
前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化することを特徴とする請求項１４または請求項１５に記載の基準信号をマッピングするための装置。
【請求項１７】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じであることを特徴とする請求項１６に記載の基準信号をマッピングするための装置。
【請求項１８】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じであることを特徴とする請求項１６に記載の基準信号をマッピングするための装置。
【請求項１９】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、スロット１の６番目のＯＦＤＭシンボル及び７番目のＯＦＤＭシンボル内の１グループの８ポートＣＳＩ−ＲＳと、スロット０の６番目のＯＦＤＭシンボル及び７番目のＯＦＤＭシンボル内の１グループの８ポートＣＳＩ−ＲＳのうちのいずれかの３グループの８ポートＣＳＩ−ＲＳがマッピングされるＲＥ位置と同様であることを特徴とする請求項１６に記載の基準信号をマッピングするための装置。
【請求項２０】
１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット０の３番目のＯＦＤＭシンボル及び４番目のＯＦＤＭシンボル内の１つのサブグループは、８ビット直交拡散コードを利用して８つのＲＥ上で多重化を行い、
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項１７に記載の基準信号をマッピングするための装置。
【請求項２１】
１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行い、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項１８に記載の基準信号をマッピングするための装置。
【請求項２２】
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じであることを特徴とする請求項１６に記載の基準信号をマッピングするための装置。
【請求項２３】
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じであることを特徴とする請求項１６に記載の基準信号をマッピングするための装置。
【請求項２４】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳと、スロット０の３番目のＯＦＤＭシンボル及び４番目のＯＦＤＭシンボル内の１グループの８ポートＣＳＩ−ＲＳと、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様であることを特徴とする請求項１６に記載の基準信号をマッピングするための装置。
【請求項２５】
１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行い、
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項２２に記載の基準信号をマッピングするための装置。
【請求項２６】
１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボ内の１つのサブグループは、前記スロット１の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項２３に記載の基準信号をマッピングするための装置。
【発明の詳細な説明】
【技術分野】
【０００１】
関連出願の相互参照
本出願は、２０１６年９月３０日に中国特許局に提出し、出願番号が２０１６１０８７７４２４.５であり、発明名称が「基準信号をマッピングするための方法及び装置」、及び２０１７年９月２６日に中国特許局に提出し、出願番号が２０１７１０８８２６４３.７であり、発明名称が「基準信号をマッピングするための方法及び装置」との中国特許出願を基礎とする優先権を主張し、その開示の総てをここに取り込む。
【０００２】
本発明は無線通信技術分野に関し、特に基準信号をマッピングするための方法及び装置に関する。
【背景技術】
【０００３】
Ｒｅｌ−１０のロングタームエボリューション（ｌｏｎｇ Ｔｅｒｍ Ｅｖｏｌｕｔｉｏｎ，ＬＴＥ）スステムにおけるダウンリンクでは、一般にセル固有基準信号（Ｃｅｌｌ−ｓｐｅｃｉｆｉｃ ｒｅｆｅｒｅｎｃｅ Ｓｉｇｎａｌ，Ｃ-RＳ）、ユーザ固有基準信号（ＵＥ−ｓｐｅｃｉｆｉｃ ｒｅｆｅｒｅｎｃｅ ｓｉｇｎａｌ，ＵＥ−ＲＳ、またはＤＭ−ＲＳ，Ｄｅｍｏｄｕｌａｔｉｏｎ−ｒｅｆｅｒｅｎｃｅ Ｓｉｇｎａｌ，即ち復調参照信号）及びチャネル状態情報基準信号（Ｃｈａｎｎｅｌ Ｓｔａｔｅ Ｉｎｄｉｃａｔｉｏｎ ｒｅｆｅｒｅｎｃｅ Ｓｉｇｎａｌ，ＣＳＩ−ＲＳ）を主に含む基準信号が定義されている。ＣＳＩ−ＲＳは、ダウンリンクチャネル測定及び推定に使用される。
【０００４】
図１ａ、図１ｂ及び図１ｃは、それぞれ、ＬＴＥシステムにおいてＣＳＩ−ＲＳをサポートする基準信号パターンを示す。当該基準信号パターンは、異なる基準信号のリソース位置、すなわち、異なる基準信号がマッピングされるＲＥの物理リソースブロック（Ｐｈｙｓｉｃａｌ Ｒｅｓｏｕｒｃｅ Ｂｌｏｃｋ，ＰＲＢ）内の位置を示す。
【０００５】
１つの基準信号は各ダウンリンクアンテナポートにより送信される。ＣＳＩ−ＲＳは、２ポート、４ポートまたは８ポートで設定でき、１つのＰＲＢに２０グループの２ポートＣＳＩ−ＲＳがある（図１ａに示すように、１つの２ポートＣＳＩ−ＲＳが１グループの０〜１で示されるＲＥにマッピングされる）。または、１０グループの４ポートＣＳＩ−ＲＳ（図１ｂに示すように、１つの４ポートＣＳＩ−ＲＳが１グループの０〜３で示されるＲＥにマッピングされる）。または、５グループの８ポートＣＳＩ−ＲＳ（図１ｃに示すように、１つの８ポートＣＳＩ−ＲＳが１グループの０〜７に示されるＲＥにマッピングされる）。図１ａ、図１ｂ及び図１ｃのボックス内の数字はポート番号を表す。符号分割多重化モードでは、２つのポートごとに２つの隣接するＲＥで使用され、例えば、図１ａに示すように、１グループの０〜１で示される２個のＲＥはポート０およびポート１を多重化する。（１  １）と（１  −１）を使用して多重化する。この多重化モードは直交拡散コードＯＣＣ＝２として表される。
【０００６】
ここで、Ｒｅｌ−１３リリースに１２ポートＣＳＩ−ＲＳ及び１６ポートＣＳＩ−ＲＳが導入される。１２ポートＣＳＩ−ＲＳ及び１６ポートＣＳＩ−ＲＳの両方がポートを集約することによって生成される。また、電力をより有効に利用するために、Ｒｅｌ−１０における直交拡散コードＯＣＣ＝２に加えて、ＯＣＣ＝４として表されるモードがさらに導入される。３つの４ポートＣＳＩ−ＲＳ（ＯＯＣ＝２またはＯＯＣ＝４）が図２ａに示されるように１つの１２ポートＣＳＩ−ＲＳに集約される。ここで、Ａ、Ｂ及びＣで示される３個の４ポートＣＳＩ−ＲＳは、１つの１２ポートＣＳＩ−ＲＳを構成する。図２ｂに示すように、１６ポートＣＳＩ−ＲＳは、２個の８ポートＣＳＩ−ＲＳ（ＯＣＣ＝２または、ＯＣＣ＝４）の集約により取得される。ここで、Ａ及びＢとして示される１つの８ポートＣＳＩ−ＲＳ、および、Ｃ及びＤとして示される１つの８ポートＣＳＩ−ＲＳは、１つの１６ポートＣＳＩ−ＲＳを構成する。図２ａ及び図２ｂにおいて同じアルファベット部分は、１つのＯＣＣ＝４のグループを構成し、それぞれのグループは、時分割多重（ＴＤＭ）モードと周波数分割多重（ＦＤＭ）モードで配置される。４個ポートＣＳＩ−ＲＳは各グループの４つのＲＥに配置される。
【０００７】
より多くのアンテナポート、例えば１６ポート以上のＣＳＩ−ＲＳの送信は、既存のＬＴＥシステムではサポートすることができない。
【発明の概要】
【発明が解決しようとする課題】
【０００８】
本発明に係る実施例は基準信号をマッピングするための方法及び装置を提供し、１６ポート以上のＣＳＩ−ＲＳマッピングを具現することにより、１６ポート以上のＣＳＩ−ＲＳ送信を具現する。
【課題を解決するための手段】
【０００９】
本発明に係る実施例は以下の技術案を提供する。
【００１０】
第１の態様によれば、本発明の実施例に係る基準信号をマッピングするための方法では、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、
決定されたＲＥに従ってＣＳＩ−ＲＳをリソースにマッピングする。
【００１１】
実施可能の実施形態では、前記Ｎは、２０、２４、２８または３２である。
【００１２】
実施可能の実施形態では、前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じであり、前記Ｎが３２のとき、前記Ｎ個のポートのうち８個のポートごとに８ビット直交拡散コードの８つのコードワードを利用してＣＳＩ−ＲＳを多重化し、または、前記Ｎが２８であるとき、前記Ｎ個のポートのうち７個のポートごとに８ビット直交拡散コードの７個コードワードを利用してＣＳＩ−ＲＳを多重化し、または、前記Ｎが２４であるとき、前記Ｎ個のポートのうち６つのポートごとに８ビット直交拡散コードの６つのコードワードを利用してＣＳＩ−ＲＳを多重化し、または、前記Ｎが２０であるとき、前記Ｎ個のポートのうちの５つのポートごとに８ビット直交拡散コードの５つのコードワードを利用してＣＳＩ−ＲＳを多重化し、
または、
前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化する。
【００１３】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００１４】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００１５】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、スロット１の６番目のＯＦＤＭシンボル及び７番目のＯＦＤＭシンボル内の１グループの８ポートＣＳＩ−ＲＳと、スロット０の６番目のＯＦＤＭシンボル及び７番目のＯＦＤＭシンボル内の１グループの８ポートＣＳＩ−ＲＳのうちのいずれかの３グループの８ポートＣＳＩ−ＲＳがマッピングされるＲＥ位置と同様である。
【００１６】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット１の３番目のＯＦＤＭシンボル及び４番目のＯＦＤＭシンボル内の１つのサブグループは、８ビット直交拡散コードを利用して８つのＲＥ上で多重化を行い、
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００１７】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行い、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００１８】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じである。
【００１９】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じである。
【００２０】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳと、スロット０の３番目のＯＦＤＭシンボル及び４番目のＯＦＤＭシンボル内の１グループの８ポートＣＳＩ−ＲＳと、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様である。
【００２１】
実施可能の実施形態では、１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行い、
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００２２】
実施可能の実施形態では、１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００２３】
第２の態様によれば、本発明の実施例に係る基準信号をマッピングするための装置は、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンである処理モジュールと、
前記処理モジュールによって決定されたＲＥに従ってＣＳＩ−ＲＳをリソースにマッピングするマッピングモジュールとを備える。
【００２４】
実施可能の実施形態では、前記Ｎは、２０、２４、２８または３２である。
【００２５】
実施可能の実施形態では、前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じであり、前記Ｎが３２のとき、前記Ｎ個のポートのうち８個のポートごとに８ビット直交拡散コードの８つのコードワードを利用してＣＳＩ−ＲＳを多重化し、または、前記Ｎが２８であるとき、前記Ｎ個のポートのうち７個のポートごとに８ビット直交拡散コードの７個コードワードを利用してＣＳＩ−ＲＳを多重化し、または、前記Ｎが２４であるとき、前記Ｎ個のポートのうち６つのポートごとに８ビット直交拡散コードの６つのコードワードを利用してＣＳＩ−ＲＳを多重化し、または、前記Ｎが２０であるとき、前記Ｎ個のポートのうちの５つのポートごとに８ビット直交拡散コードの５つのコードワードを利用してＣＳＩ−ＲＳを多重化し、
または、
前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化する。
【００２６】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００２７】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００２８】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、スロット１の６番目のＯＦＤＭシンボル及び７番目のＯＦＤＭシンボル内の１グループの８ポートＣＳＩ−ＲＳと、スロット０の６番目のＯＦＤＭシンボル及び７番目のＯＦＤＭシンボル内の１グループの８ポートＣＳＩ−ＲＳのうちのいずれかの３グループの８ポートＣＳＩ−ＲＳがマッピングされるＲＥ位置と同様である。
【００２９】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット０の３番目のＯＦＤＭシンボル及び４番目のＯＦＤＭシンボル内の１つのサブグループは、８ビット直交拡散コードを利用して８つのＲＥ上で多重化を行い、
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００３０】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行い、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００３１】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じである。
【００３２】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じである。
【００３３】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳと、スロット０の３番目のＯＦＤＭシンボル及び４番目のＯＦＤＭシンボル内の１グループの８ポートＣＳＩ−ＲＳと、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様である。
【００３４】
実施可能の実施形態では、１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行い、
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００３５】
実施可能の実施形態では、１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボ内の１つのサブグループは、前記スロット１の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００３６】
第３の態様によれば、本発明の実施例に係る基地局は、プロセッサと、メモリと、送受信機と、バスインターフェースとを備え、
前記プロセッサは、メモリに格納されたプログラムを読み出して、
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、
決定されたＲＥに従ってＣＳＩ−ＲＳをリソースにマッピングする。
【発明の効果】
【００３７】
本発明の上記実施例では、３ＧＰＰ Ｒｅｌ−１３で定義された８ポートＣＳＩ−ＲＳパターン従って、Ｎ個のポートの基準信号パターンを取得し、基準信号をマッピングする場合、当該Ｎ個のポートの基準信号パターンに従って、ＣＳＩ−ＲＳがマッピングされるＲＥ位置を決定し、当該ＲＥ位置に従ってＣＳＩ−ＲＳをリソースにマッピングする。Ｎが１６より大きい整数であるため、１６ポート以上のＣＳＩ−ＲＳマッピングを具現し、１６ポート以上のＣＳＩ−ＲＳの送信を具現する。
【図面の簡単な説明】
【００３８】
【図１ａ】従来技術の２ポートの基準信号パターンの概略図である。
【図１ｂ】従来技術の４ポートの基準信号パターンの概略図である。
【図１ｃ】従来技術の８ポートの基準信号パターンの概略図である。
【図２ａ】従来のＬＴＥ Ｒｅｌ−１３における１２ポートの基準信号パターンの概略図である。
【図２ｂ】従来のＬＴＥ Ｒｅｌ−１３における１６ポートの基準信号パターンの概略図である。
【図３】本発明の実施例に係る基準信号マッピングのための方法のフローチャートである。
【図４】本発明の実施例に係る３２ポート基準信号パターンの概略図である。
【図５】本発明の実施例に係る別の３２ポート基準信号パターンの概略図である。
【図６】本発明の実施例に係る別の３２ポート基準信号パターンの概略図である。
【図７】本発明の実施例に係る別の２４ポート基準信号パターンの概略図である。
【図８】本発明の実施例に係る基準信号をマッピングするための装置の構造図である。
【図９】本発明の実施例に係る基地局の構造図である。
【発明を実施するための形態】
【００３９】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４０】
本発明の技術案は多様な通信システムに応用することができる。例えば、ＧＳＭ(登録商標)（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ(登録商標)（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００４１】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００４２】
本発明に係る実施例において、基地局（例えば、接続点）は、ＡＮ（Ａｃｃｅｓｓ Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ(登録商標)またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ(登録商標)の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００４３】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４４】
１ポート、２ポート、４ポート、８ポート、１２ポート、および１６ポートのＣＳＩ−ＲＳの送信は、既存のＬＴＥ規格ではサポートされているが、２０、２４、２８、３２などのポートのような１６以上のＣＳＩーＲＳの送信はサポートされていない。これを考慮して、本発明に係る実施例は、２０ポート、２４ポート、２８ポート、３２ポートを含む１６ポート以上のＣＳＩ−ＲＳの送信をサポートするように基準信号をマッピングするための方法および装置を提供する。
【００４５】
以下、本発明の実施に係る実施例について図面を参照しながら詳細に説明する。
【００４６】
基準信号は各ダウンリンクアンテナポートで送信される。アンテナポートは、信号を送信するためのロジックポートを指し、それは１つまたは複数の実際の物理アンテナに対応することができる。アンテナポートは、受信機の観点から定義され、すなわち、受信機がリソースを空間的に互いに区別する必要があるとき、複数のアンテナポートが定義される必要がある。基準信号が、複数の物理アンテナにより送信される信号を組み合わせることによって形成されても関わらず、ＵＥにとって、あるアンテナポートに対応する、ＵＥによって受信された基準信号は、対応するアンテナポートを定義することになる。
【００４７】
図３は、本発明の実施例による基準信号をマッピングする方法のフローチャートを詳細に示しており、ここで、フローは、具体的には以下のように基地局によって実行することができる。
【００４８】
ステップ３０１において、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンである。
【００４９】
ステップ３０２において、決定されたＲＥに従ってＣＳＩ−ＲＳをリソースにマッピングする。
【００５０】
具体的に、Ｎは、２０、２４、２８または３２である。
【００５１】
上記のフローを用いて、基地局がＮ個のアンテナポートを用いて構成されている場合、基地局は、ＵＥに対してＮポートＣＳＩ−ＲＳを構成することができる。ＵＥは、構成されたＣＳＩ―ＲＳポート上のチャネルを測定し、そしてチャネル情報をフィードバックする。
【００５２】
３ＧＰＰ Ｒｅｌ−１３で定義された８ポートＣＳＩ−ＲＳパターンに従って、Ｎポート（Ｎ=２０, ２４, ２８または３２）の基準信号パターンを取得し、基準信号がマッピングされるとき、当該Ｎ個のポートの基準信号パターンに従って、ＣＳＩ−ＲＳがマッピングされるＲＥ位置を決定し、当該ＲＥ位置に従ってＣＳＩ−ＲＳをリソースにマッピングする。こうして、ＮポートＣＳＩ−ＲＳがマッピングされ、さらに、ＮポートＣＳＩ−ＲＳが伝送される。
【００５３】
一例としてＮ＝２０、２４、２８、または３２を取り上げて、以下の幾つかの状況のように、上述のフローにより、3ＧＰＰ Ｒｅｌ−１３で定義されている８ポートＣＳＩ−ＲＳパターンに従って、ＮポートＣＳＩ−ＲＳがマッピングされるＲＥ位置を決定する。以下のいくつかの特定の例について説明する。
【００５４】
＜状況１＞３２ポートに対して、３２ポート基準信号パターン内の１つの３２ポートＣＳＩ−ＲＳがマッピングされるＲＥ位置は、８ポート基準信号パターン内の４グループの８ポートＣＳＩ−ＲＳがマッピングされるＲＥ位置と同様である。３２ポートのうち８個のポートごとに、８ビット直交拡散コードの８つのコードワードを利用してＣＳＩ−ＲＳを多重化する。
【００５５】
＜状況２＞２８ポートに対して、２８ポート基準信号パターン内の１つの２８ポートＣＳＩ−ＲＳがマッピングされるＲＥ位置は、８ポート基準信号パターン内の４グループの８ポートＣＳＩ−ＲＳがマッピングされるＲＥ位置と同様である。２８ポートのうち７個のポートごとに、８ビット直交拡散コードの７個コードワードを利用してＣＳＩ−ＲＳを多重化する。
【００５６】
＜状況３＞２４ポートに対して、２４ポート基準信号パターン内の１つの２４ポートＣＳＩ−ＲＳがマッピングされるＲＥ位置は、８ポート基準信号パターン内の４グループの８ポートＣＳＩ−ＲＳがマッピングされるＲＥ位置と同様である。２４ポートのうち６個のポートごとに、８ビット直交拡散コードの６個コードワードを利用してＣＳＩ−ＲＳを多重化する。
【００５７】
＜状況４＞２０ポートに対して、２０ポート基準信号パターン内の１つの２０ポートＣＳＩ−ＲＳがマッピングされるＲＥ位置は、８ポート基準信号パターン内の４グループの８ポートＣＳＩ−ＲＳがマッピングされるＲＥ位置と同様である。２０ポート内の５つポートごとに、８ビット直交拡散コードの５つのコードワードを利用してＣＳＩ−ＲＳを多重化する。
【００５８】
＜状況５＞２４ポートに対して、２４ポート基準信号パターン内の１つの２４ポートＣＳＩ−ＲＳがマッピングされるＲＥ位置は、８ポート基準信号パターン内の３グループの８ポートＣＳＩ−ＲＳがマッピングされるＲＥ位置と同じであり、２４ポートのうち８個のポートごとに、８ビット直交拡散コードの８つのコードワードを利用してＣＳＩ−ＲＳを多重化する。
【００５９】
上記の状況１〜状況４では、８ポート基準信号パターン内のＣＳＩ−ＲＳがマッピングされるＲＥ位置は、特に以下の状況では、１つのサブフレームに含まれるシンボル数とともにさらに変化する可能性がある。
【００６０】
＜状況ａ＞１４個の直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルを含む、通常のサイクリックプレフィックスを有するサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００６１】
状況ａでは、１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット１の３番目のＯＦＤＭシンボル及び４番目のＯＦＤＭシンボル内の１つのサブグループは、８ビット直交拡散コードを利用して８つのＲＥ上で多重化を行う。
【００６２】
状況ａでは、前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００６３】
状況ａでは、Ｎが３２であるとき、Ｓは８である。Ｎが２８であるとき、Ｓは７である。Ｎが２４であるとき、Ｓは６である。Ｎが２０であるとき、Ｓは５である。
【００６４】
＜状況ｂ＞１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【００６５】
状況ｂにおいて、１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行う。
【００６６】
状況ｂにおいて、前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【００６７】
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【００６８】
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００６９】
状況ｂにおいて、Ｎが３２であるとき、Ｓは８である。Ｎが２８であるとき、Ｓは７である。Ｎが２４であるとき、Ｓは６である。Ｎが２０であるとき、Ｓは５である。
【００７０】
＜状況ｃ＞１つの１１個または１２個のＯＦＤＭシンボルが含まれるダウンリンクパイロットスロット（Ｄｏｗｎｌｉｎｋ Ｐｉｌｏｔ Ｔｉｍｅ Ｓｌｏｔ，ＤｗＰＴＳ）において、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じである。
【００７１】
状況ｃでは、１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行う。
【００７２】
状況ｃでは、前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
【００７３】
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【００７４】
状況ｃでは、Ｎが３２であるとき、Ｓは８である。Ｎが２８であるとき、Ｓは７である。Ｎが２４であるとき、Ｓは６である。Ｎが２０であるとき、Ｓは５である。
【００７５】
＜状況ｄ＞１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じである。
【００７６】
状況ｄでは、１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行う。
【００７７】
状況ｄでは、前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、前記スロット１の３番目のＯＦＤＭシンボル及び４番目のＯＦＤＭシンボ内の１つのサブグループは、前記スロット１の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【００７８】
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【００７９】
状況ｄでは、Ｎが３２であるとき、Ｓは８である。Ｎが２８であるとき、Ｓは７である。Ｎが２４であるとき、Ｓは６である。Ｎが２０であるとき、Ｓは５である。
【００８０】
上述の状況５について、具体的には以下のように、８ポート基準信号パターン内のＣＳＩ−ＲＳがマッピングされるＲＥの所在のシンボル位置は、１つのサブフレームに含まれるシンボル数とともにさらに変化する可能性がある。
【００８１】
＜状況ｅ＞１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、スロット１の６番目のＯＦＤＭシンボル及び７番目のＯＦＤＭシンボル内の１グループの８ポートＣＳＩ−ＲＳと、スロット０の６番目のＯＦＤＭシンボル及び７番目のＯＦＤＭシンボル内の１グループの８ポートＣＳＩ−ＲＳのうちのいずれかの３グループの８ポートＣＳＩ−ＲＳがマッピングされるＲＥ位置と同様である。ここで、Ｎは２４である。
【００８２】
＜状況ｆ＞１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳと、スロット０の３番目のＯＦＤＭシンボル及び４番目のＯＦＤＭシンボル内の１グループの８ポートＣＳＩ−ＲＳと、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様である。ここで、Ｎは２４である。
【００８３】
３２ポートＣＳＩーＲＳの場合、図１ａ、図１ｂ、または図１ｃに示すＯＣＣ＝２のポートが直接集約される場合、例えば、１６グループの２ポートＣＳＩーＲＳが集約される、８グループの４ポートＣＳＩーＲＳが集約される、または４グループの８ポートＣＳＩーＲＳが集約されると、パイロット電力がデータ電力の４分の１になるように、それぞれのポートの電力が過少使用される可能性がある。そして、図２ａおよび図２ｂにおけるＯＣＣ＝４のポートが直接集約される場合、例えば、８グループの４ポートＣＳＩーＲＳが集約される、または４グループの８ポートＣＳＩーＲＳが集約される場合、そこでＯＦＤＭシンボル５およびＯＦＤＭシンボル６におけるパイロット電力は、ＯＦＤＭシンボル２およびＯＦＤＭシンボル３におけるパイロット電力と異なる（ＯＦＤＭシンボル５およびＯＦＤＭシンボル６におけるパイロット電力は、データ電力の４分の１であり、ＯＦＤＭシンボル２、ＯＦＤＭシンボル３におけるパイロット電力は、データ電力の２分の１である）。これは、パイロットのカバレッジを妨げる。同様に、1８ポート、２０ポート、２４ポート、または２８ポートのパイロットでもパイロット電力が異なるという同じ問題が発生する可能性がある。本発明に係る実施例では、ポートは８ビット直交拡散コードを利用して（すなわち、ＯＣＣ＝８）集約され、追加のパイロットリソースを増やさず、パイロット密度を下げることなくても、同じ電力でＣＳＩ−ＲＳを送信し、ＯＣＣ＝８まで拡張される場合、パイロット電力を最大限に利用することができる。
【００８４】
以下、３２ポートＣＳＩ−ＲＳ、２４ポートＣＳＩ−ＲＳ ＣＳＩ−ＲＳの例を挙げて説明する。
【００８５】
（一）３２ポート基準信号パターン
３２ポート基準信号パターンにおいて、１グループの３２ポートＣＳＩ−ＲＳがマッピングされる３２個のＲＥ位置は、８ポート基準信号パターン内の４グループの８ポートＣＳＩ−ＲＳがマッピングされる３２個のＲＥ位置とおなじであり、各グループの８ポートＣＳＩ−ＲＳは、８ビット直交拡散コードを利用して８つのＲＥ上で多重化を行う。
【００８６】
図４は３２ポート基準信号パターンを示し、各ボックスは１つのＲＥを表す。３２ポートＣＳＩ−ＲＳがマッピングされる各ＲＥに対応するボックスは、アルファベットとして示される。図４に示す３２ポート基準信号パターンにおいて、４グループの８ポートＣＳＩ−ＲＳが含まれ、当該４グループの８ポートＣＳＩ−ＲＳがマッピングされるＲＥをそれぞれＡ〜Ｄとする。
【００８７】
具体的に、図４に示す４グループの８ポートＣＳＩ−ＲＳは、スロット１内のＯＦＤＭシンボル２及びＯＦＤＭシンボル３内の３グループの８ポートＣＳＩ−ＲＳと、スロット０（または、スロット１）内のＯＦＤＭシンボル５及びＯＦＤＭシンボル６内の１グループの８ポートＣＳＩ−ＲＳとを含む。ＯＣＣ=８場合の多重化を行うとき、スロット０または、スロット１内のＯＦＤＭシンボル５及びＯＦＤＭシンボル６内の１グループの８ポートＣＳＩ−ＲＳをサブキャリアインデックスに従って、４つのサブグループに均等に分割する（各サブグループが２つのＲＥを占有する）。また、スロット１内のＯＦＤＭシンボル２及びＯＦＤＭシンボル３内の３グループの８ポートＣＳＩ−ＲＳをサブキャリアインデックスに従って、４つのサブグループに均等に分割する（各サブグループは６つのＲＥを示す）。こうして、ＯＣＣ=８の１つのサブグループは、スロット０またはスロット１のＯＦＤＭシンボル５及びＯＦＤＭシンボル６内の１つのサブグループと、スロット１のＯＦＤＭシンボル２及びＯＦＤＭシンボル３内の１つのサブグループとの組み合わせにより構成される。同じアルファベット部分は、ＯＣＣ=８の１グループを示す。各８ポートＣＳＩＲＳは、長さ８の直交拡散コードを利用して、ＯＣＣ=８の１グループの８つのＲＥにおいて、符号分割多重化を行う。
【００８８】
図５は３２ポート基準信号パターンを示し、各ボックスは１つのＲＥを表す。３２ポートＣＳＩ−ＲＳがマッピングされる各ＲＥに対応するボックスは、アルファベットとして示される。図４に示す３２ポート基準信号パターンに４グループの８ポートＣＳＩ−ＲＳが含まれる。当該４グループの８ポートＣＳＩ−ＲＳがマッピングされるＲＥをそれぞれＡ〜Ｄとする。Ａとして示されたＲＥは、８ポート基準信号パターン内の１グループの８ポートＣＳＩ−ＲＳがマッピングされるＲＥ位置と同じであり、同様に、Ｂ、Ｃ及びＤとして示されたＲＥそれぞれは、８ポート基準信号パターン内の１グループの８ポートＣＳＩ−ＲＳがマッピングされるＲＥ位置と同じである。
【００８９】
具体的に、図５に示す４グループの８ポートＣＳＩ−ＲＳは、スロット１内のＯＦＤＭシンボル２及びＯＦＤＭシンボル３内の２グループの８ポートＣＳＩ−ＲＳと、スロット０内のＯＦＤＭシンボル５及びＯＦＤＭシンボル６内の１グループの８ポートＣＳＩ−ＲＳと、スロット１内のＯＦＤＭシンボル５及びＯＦＤＭシンボル６内の１グループの８ポートＣＳＩ−ＲＳとを含む。ＯＣＣ=８の場合の多重化を行うとき、スロット０及びスロット１内のＯＦＤＭシンボル５及びＯＦＤＭシンボル６内の１グループの８ポートＣＳＩ−ＲＳをサブキャリアインデックスに従って、４つのサブグループに均等に分割する（各サブグループは２つのＲＥを占有する）。また、スロット１内のＯＦＤＭシンボル２及びＯＦＤＭシンボル３内の２グループの８ポートＣＳＩ−ＲＳをサブキャリアインデックスに従って、４つのサブグループに均等に分割する（各サブグループは４つのＲＥを占有する）。こうして、ＯＣＣ=８の１つのサブグループは、スロット０のＯＦＤＭシンボル５及びＯＦＤＭシンボル６内の１つのサブグループと、スロット１のＯＦＤＭシンボル５及びＯＦＤＭシンボル６内の１つのサブグループと、スロット１のＯＦＤＭシンボル２及びＯＦＤＭシンボル３内の１つのサブグループとの組み合わせで構成される。ここで、同じアルファベット部分は、ＯＣＣ=８の１グループを示す。各８ポートＣＳＩ−ＲＳは、長さ８の直交拡散コードを利用して、ＯＣＣ=８の１グループの８つのＲＥにおいて、符号分割多重化を行う。
【００９０】
図４および図５はそれぞれ可能な３２ポート基準信号パターンを示しているだけであるが、他の３２ポート基準信号パターンは上記の３２ポート基準信号パターンに従ってさらに得ることができることに留意されたい。重複する説明は省略する。
【００９１】
本発明の実施形態では、ＴＤＤサブフレームのＤＷＰＴＳ領域内の３２ポート基準信号パターンは、時間シフトを除いて同じ原理に基づいてさらに得ることができる。図６は、ＴＤＤサブフレームのＤＷＰＴＳ領域における３２ポート基準信号パターンの一例を示す。
【００９２】
図４〜図６の同じアルファベットに対応するＣＳＩ−ＲＳは、ＯＣＣ=８のグループを構成し、１グループの８ビット直交拡散コードを利用してＣＳＩ−ＲＳを多重化する。例えば、表１に示す方式で多重化を行うことができる。
【００９３】
【表１】
2019537861.tif 000003
【００９４】
（二）２４ポート基準信号パターン
２４ポート基準信号パターンにおいて、１グループ２４ポートＣＳＩ−ＲＳがマッピングされる２４個のＲＥ位置は、８ポート基準信号パターン内の３グループの８ポートＣＳＩ−ＲＳがマッピングされる２４個のＲＥ位置と同じである。
【００９５】
１つのＰＲＢには５グループの８ポートＣＳＩ−ＲＳが含まれるが、本発明の実施例では、そのうちのいずれかの３グループの８ポートＣＳＩ−ＲＳを選出して２４ポートＣＳＩ−ＲＳを構成する。
【００９６】
図７は２４ポート基準信号パターンを示す。各ボックスは１つのＲＥを表す。２４ポートＣＳＩ−ＲＳがマッピングされる各ＲＥに対応するボックスは、アルファベットとして示される。図７に示す２４ポート基準信号パターンは、３グループの８ポートＣＳＩ−ＲＳを含む。当該３グループの８ポートＣＳＩ−ＲＳがマッピングされるＲＥそれぞれをＡないしＣとする。Ａとして示されたＲＥは、８ポート基準信号パターン内の１グループの８ポートＣＳＩ−ＲＳがマッピングされるＲＥ位置と同じである。同様に、Ｂ及びＣとして示されるＲＥそれぞれは、８ポート基準信号パターン内の１グループの８ポートＣＳＩ−ＲＳがマッピングされるＲＥ位置と同じである。
【００９７】
具体的に、図７に示す３グループの８ポートＣＳＩ−ＲＳは、スロット０のＯＦＤＭシンボル２及びＯＦＤＭシンボル３内の３グループの８ポートＣＳＩ−ＲＳを含む。同じアルファベット部分は、ＯＣＣ=８の１グループを示す。各８ＣＳＩ−ＲＳのポートは、長さ８の直交拡散コードを利用して、ＯＣＣ=８の１グループの８つのＲＥにおいて、符号分割多重化を行う。
【００９８】
２８ポート、２４ポート、２０ポート基準信号パターンにも、３２ポート基準信号パターンと同じ集約方式、及び、ＯＣＣ=８のグループと同じ構成方式が適用することができる。ただし、２８ポートの場合、７つのＣＳＩ−ＲＳポートごとに、長さ８の直交拡散コードを利用して、ポートＯＣＣ=８の１グループの８つのＲＥにおいて、符号分割多重化を行う。２４ポートの場合、６つのＣＳＩ−ＲＳポートごとに、長さ８の直交拡散コードを利用して、ＯＣＣ=８の１グループの８つのＲＥにおいて、符号分割多重化を行う。２０ポートの場合、５つのＣＳＩ−ＲＳポートごとに、ＯＣＣ=８の１グループの８つのＲＥにおいて、ポートごとに、符号分割多重化を行う。
【００９９】
同じ発明思想に基づいて、本発明の実施例は、基準信号をマッピングするための装置を提供し、当該装置の特定の実施は、方法の説明を参照することができるので、繰り返して説明しない。図８に示すように、当該装置は、処理モジュール８０１と、マッピングモジュール８０２とを備える。
【０１００】
前記処理モジュール８０１は、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化する。前記８ポート基準信号パターンは、３ＧＰＰ Ｒｅｌ−１３で定義された８ポートＣＳＩ−ＲＳパターンである。
【０１０１】
前記マッピングモジュール８０２は、前記処理モジュールによって決定されたＲＥに従ってＣＳＩ−ＲＳをリソースにマッピングする。
【０１０２】
実施可能の実施形態では、前記Ｎは、２０、２４、２８または３２である。
【０１０３】
実施可能の実施形態では、前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じである。前記Ｎが３２のとき、前記Ｎ個のポートのうち８個のポートごとに８ビット直交拡散コードの８つのコードワードを利用してＣＳＩ−ＲＳを多重化する。または、前記Ｎが２８であるとき、前記Ｎ個のポートのうち７個のポートごとに８ビット直交拡散コードの７個コードワードを利用してＣＳＩ−ＲＳを多重化する。または、前記Ｎが２４であるとき、前記Ｎ個のポートのうち６つのポートごとに８ビット直交拡散コードの６つのコードワードを利用してＣＳＩ−ＲＳを多重化する。または、前記Ｎが２０であるとき、前記Ｎ個のポートのうちの５つのポートごとに８ビット直交拡散コードの５つのコードワードを利用してＣＳＩ−ＲＳを多重化する。
【０１０４】
または、前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化する。
【０１０５】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【０１０６】
実施可能の実施形態では、１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じである。
【０１０７】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、スロット１の６番目のＯＦＤＭシンボル及び７番目のＯＦＤＭシンボル内の１グループの８ポートＣＳＩ−ＲＳと、スロット０の６番目のＯＦＤＭシンボル及び７番目のＯＦＤＭシンボル内の１グループの８ポートＣＳＩ−ＲＳのうちのいずれかの３グループの８ポートＣＳＩ−ＲＳがマッピングされるＲＥ位置と同様である。
【０１０８】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット０の３番目のＯＦＤＭシンボル及び４番目のＯＦＤＭシンボル内の１つのサブグループは、８ビット直交拡散コードを利用して８つのＲＥ上で多重化を行う。
【０１０９】
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【０１１０】
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【０１１１】
実施可能の実施形態では、１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行う。
【０１１２】
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【０１１３】
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【０１１４】
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【０１１５】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じである。
【０１１６】
実施可能の実施形態では、１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じである。
【０１１７】
実施可能の実施形態では、Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳと、スロット０の３番目のＯＦＤＭシンボル及び４番目のＯＦＤＭシンボル内の１グループの８ポートＣＳＩ−ＲＳと、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様である。
【０１１８】
実施可能の実施形態では、１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行う。
【０１１９】
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【０１２０】
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有する。
【０１２１】
実施可能の実施形態では、１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有する。
【０１２２】
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有する。
【０１２３】
同じ発明思想に基づいて、本発明に係る実施例は、基地局をさらに提供し、当該基地局は上述の基準信号マッピングのためのフローを実施できる。
【０１２４】
図９は本発明に係る実施例の基地局の構造図である。当該基地局は、プロセッサ９０１と、メモリ９０２と、送受信機９０３と、バスインターフェースとを備える。
【０１２５】
プロセッサ９０１は、バスアーキテクチャ及び通常の処理を監視し、メモリ９０２は、プロセッサ９０１が動作する際に利用するデータを記憶することができる。送受信機９０３は、プロセッサ９０１の制御の下でデータを送受信する。
【０１２６】
バスアーキテクチャは、いずれ数の相互接続するバス及びブリッジを備える。具体的に、プロセッサ９０１が代表となる１つまたは複数のプロセッサ及びメモリ９０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９０３は、複数の部品であることができ、即ち、送信機及び受信機を備え、伝送媒体を介して他の装置と通信するユニットを提供する。プロセッサ９０１は、バスアーキテクチャ及び通常の処理を監視し、メモリ９０２は、プロセッサ９０１が動作する際に利用するデータを記憶することができる。
【０１２７】
本発明の実施形態によるフローは、プロセッサ９０１に適用することができ、またはプロセッサ９０１によって実行することができる。一実装形態では、データを送信するフローの各ステップは、ハードウェア内の集積論理回路によって実行することができる。プロセッサ９０１は、汎用プロセッサ、デジタル信号プロセッサ、特定用途向け集積回路、フィールドプログラマブルゲートアレイ、または他のプログラマブルロジックデバイス、ディスクリートゲート、トランジスタロジックデバイスとすることができる。または個別のハードウェアコンポーネントであることができ、本発明の実施形態において開示されたそれぞれの方法、ステップ、および論理ブロック図を、実装または実行することができる。汎用プロセッサは、マイクロプロセッサ、または任意の従来のプロセッサなどとすることができる。本発明の実施形態による方法のステップは、ハードウェアプロセッサによって直接実行することができ、またはハードウェアとソフトウェアモジュールの組合せによって実行することができる。ソフトウェアモジュールは、ランダムメモリ、フラッシュメモリ、読み出し専用メモリ、プログラム可能読み出し専用メモリ、電気的消去およびプログラム可能メモリ、レジスタ、または当技術分野で知られている他の記憶媒体に配置することができる。記憶媒体はメモリ９０２内に配置され、プロセッサ９０１はメモリ９０２内の情報を読み取り、それらのハードウェアと組み合わせて制御プレーン処理方法のステップを実行する。
【０１２８】
具体的に、プロセッサ９０１は、メモリ９０２に格納されたプログラムを読み出して、
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、前記Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、
決定されたＲＥに従ってＣＳＩ−ＲＳをリソースにマッピングする。
【０１２９】
好ましくは、前記Ｎは、２０、２４、２８または３２である。
【０１３０】
ここで、プロセッサ９０１は、Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるＲＥをどのように決定するかについての上記の実施形態を参照することができる。３ＧＰＰ Ｒｅｌ−１３で定義された８ポートＣＳＩ−ＲＳパターンであるため、ここでの重複説明は省略する。
【０１３１】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１３２】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び／またはブロック図における一つまたは複数のブロックに指定する機能を具現する。
【０１３３】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフロー及び／またはブロック図における一つまたは複数のブロックに指定する機能を具現する。
【０１３４】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を具現し、コンピュータまたは他のプログラム可能な設備において実行される指令によって、フロー図における一つまたは複数のフロー及び／またはブロック図における一つまたは複数のブロックに指定する機能を具現する。
【０１３５】
上述した実施形態に記述された技術的な解決手段を改造し、またはその中の一部の技術要素を置換することもできる。そのような、改造と置換は本発明の各実施形態の技術の範囲から逸脱するとは見なされない。
【０１３６】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１３７】
８０１  処理モジュール
８０２  マッピングモジュール
９０１  プロセッサ
９０２  メモリ
９０３  送受信機
【図１ａ】
2019537861.tif 000004
【図１ｂ】
2019537861.tif 000005
【図１ｃ】
2019537861.tif 000006
【図２ａ】
2019537861.tif 000007
【図２ｂ】
2019537861.tif 000008
【図３】
2019537861.tif 000009
【図４】
2019537861.tif 000010
【図５】
2019537861.tif 000011
【図６】
2019537861.tif 000012
【図７】
2019537861.tif 000013
【図８】
2019537861.tif 000014
【図９】
2019537861.tif 000015
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンであり、
決定されたＲＥに従ってＣＳＩ−ＲＳをリソースにマッピングすることを特徴とする基準信号をマッピングするための方法。
【請求項２】
前記Ｎは、２０、２４、２８または３２であることを特徴とする請求項１に記載の基準信号をマッピングするための方法。
【請求項３】
前記Ｎが３２、２８、２４または２０であるとき、Ｎポート基準信号パターン内のＮポートＣＳＩ−ＲＳがマッピングされるＲＥ位置は、８ポート基準信号パターン内の４グループの８ポートＣＳＩ−ＲＳがマッピングされるＲＥ位置と同じであり、前記Ｎが３２のとき、前記Ｎ個のポートのうち８個のポートごとに８ビット直交拡散コードの８つのコードワードを利用してＣＳＩ−ＲＳを多重化し、または、前記Ｎが２８であるとき、前記Ｎ個のポートのうち７個のポートごとに８ビット直交拡散コードの７個コードワードを利用してＣＳＩ−ＲＳを多重化し、または、前記Ｎが２４であるとき、前記Ｎ個のポートのうち６つのポートごとに８ビット直交拡散コードの６つのコードワードを利用してＣＳＩ−ＲＳを多重化し、または、前記Ｎが２０であるとき、前記Ｎ個のポートのうちの５つのポートごとに８ビット直交拡散コードの５つのコードワードを利用してＣＳＩ−ＲＳを多重化し、
または、
前記Ｎが２４であるとき、Ｎポート基準信号パターン内のＮポートＣＳＩ−ＲＳがマッピングされるＲＥ位置は、８ポート基準信号パターン内の３グループの８ポートＣＳＩ−ＲＳがマッピングされるＲＥ位置と同じであり、前記Ｎ個のポートのうち８個のポートごとに８ビット直交拡散コードの８つのコードワードを利用してＣＳＩ−ＲＳを多重化することを特徴とする請求項１または請求項２に記載の基準信号をマッピングするための方法。
【請求項４】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳがマッピングされるＲＥ位置と、通常のサイクリックプレフィックスを有するサブフレーム内の定義された８ポート基準信号パターン内のスロット０またはスロット１の６番目のＯＦＤＭシンボル及び７番目のＯＦＤＭシンボル内の１グループの８ポートＣＳＩ−ＲＳがマッピングされるＲＥ位置とより構成されたＲＥ位置と同じであることを特徴とする請求項３に記載の基準信号をマッピングするための方法。
【請求項５】
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、
通常のサイクリックプレフィックスを有するサブフレーム内の定義された８ポート基準信号パターン内のスロット１の３番目のＯＦＤＭシンボル及び４番目のＯＦＤＭシンボル内の２グループの８ポートＣＳＩ−ＲＳがマッピングされるＲＥ位置と、
通常のサイクリックプレフィックスを有するサブフレーム内の定義された８ポート基準信号パターン内のスロット０の６番目のＯＦＤＭシンボル及び７番目のＯＦＤＭシンボル内の１グループの８ポートＣＳＩ−ＲＳがマッピングされるＲＥ位置と、
通常のサイクリックプレフィックスを有するサブフレーム内の定義された８ポート基準信号パターン内のスロット１の６番目のＯＦＤＭシンボル及び７番目のＯＦＤＭシンボル内の１グループの８ポートＣＳＩ−ＲＳがマッピングされるＲＥ位置と
より構成されたＲＥ位置と同じであることを特徴とする請求項３に記載の基準信号をマッピングするための方法。
【請求項６】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１４個のＯＦＤＭシンボルを含む通常のサイクリックプレフィックスを有する１つのサブフレームにおいて、前記Ｎポート基準信号パターン内のＮポートＣＳＩ−ＲＳがマッピングされるＲＥ位置は、
通常のサイクリックプレフィックスを有するサブフレーム内の定義された８ポート基準信号パターン内のスロット１の３番目のＯＦＤＭシンボル及び４番目のＯＦＤＭシンボル内の３グループの８ポートＣＳＩ−ＲＳと、
スロット１の６番目のＯＦＤＭシンボル及び７番目のＯＦＤＭシンボル内の１グループの８ポートＣＳＩ−ＲＳと、
スロット０の６番目のＯＦＤＭシンボル及び７番目のＯＦＤＭシンボル内の１グループの８ポートＣＳＩ−ＲＳとのうちのいずれかの３グループの８ポートＣＳＩ−ＲＳがマッピングされるＲＥ位置と同様であることを特徴とする請求項３に記載の基準信号をマッピングするための方法。
【請求項７】
１４個のＯＦＤＭシンボルを含む通常のサイクリックプレフィックスを有する１つのサブフレームにおいて、各グループ内のＳポートＣＳＩ−ＲＳについて、前記スロット０またはスロット１の６番目のＯＦＤＭシンボル及び７番目のＯＦＤＭシンボル内の１つのサブグループ、及び前記スロット０の３番目のＯＦＤＭシンボル及び４番目のＯＦＤＭシンボル内の１つのサブグループは、８ビット直交拡散コードを利用して８つのＲＥ上で多重化を行い、
前記スロット０またはスロット１の６番目のＯＦＤＭシンボル及び７番目のＯＦＤＭシンボル内の１つのサブグループは、前記スロット０またはスロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボルの１サブグループは、前記スロット１の３番目のＯＦＤＭシンボル及び４番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項４に記載の基準信号をマッピングするための方法。
【請求項８】
１４個のＯＦＤＭシンボルを含む通常のサイクリックプレフィックスを有する１つのサブフレームにおいて、各グループ内のＳポートＣＳＩ−ＲＳについて、前記スロット０の６番目のＯＦＤＭシンボル及び７番目のＯＦＤＭシンボル内の１つのサブグループと、前記スロット１の６番目のＯＦＤＭシンボル及び７番目のＯＦＤＭシンボル内の１つのサブグループと、スロット１の３番目のＯＦＤＭシンボル及び４番目のＯＦＤＭシンボル内の１つのサブグループとは、８ビット直交拡散コードを利用して８つのＲＥ上で多重化を行い、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の６番目のＯＦＤＭシンボル及び７番目のＯＦＤＭシンボル内の１つのサブグループは、前記スロット１の６番目のＯＦＤＭシンボル及び７番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボル内の１つのサブグループは、前記スロット１の３番目のＯＦＤＭシンボル及び４番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項５に記載の基準信号をマッピングするための方法。
【請求項９】
１１個または１２個のＯＦＤＭシンボルが含まれる１つのダウンリンクパイロットスロット（ＤｗＰＴＳ）において、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳがマッピングされるＲＥ位置と、ＤｗＰＴＳ内の定義された８ポート基準信号パターン内のスロット０またはスロット１の３番目のＯＦＤＭシンボル及び４番目のＯＦＤＭシンボルの１グループの８ポートＣＳＩ−ＲＳがマッピングされるＲＥ位置とより構成されたＲＥ位置と同じであることを特徴とする請求項３に記載の基準信号をマッピングするための方法。
【請求項１０】
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の２グループの８ポートＣＳＩ−ＲＳがマッピングされるＲＥ位置と、ＤｗＰＴＳ内の定義された８ポート基準信号パターン内のスロット０の３番目のＯＦＤＭシンボル及び４番目のＯＦＤＭシンボル内の１グループの８ポートＣＳＩ−ＲＳがマッピングされるＲＥ位置と、ＤｗＰＴＳ内の定義された８ポート基準信号パターン内のスロット１の３番目のＯＦＤＭシンボル及び４番目のＯＦＤＭシンボル内の１グループの８ポートＣＳＩ−ＲＳがマッピングされるＲＥ位置とより構成されたＲＥ位置と同じであることを特徴とする請求項３に記載の基準信号をマッピングするための方法。
【請求項１１】
Ｎが２４であり、かつ、Ｎポート基準信号パターン内のＮポートＣＳＩ−ＲＳがマッピングされるＲＥ位置が、８ポート基準信号パターン内の３グループの８ポートＣＳＩ−ＲＳがマッピングされるＲＥ位置と同じであるとき、
１１個または１２個のＯＦＤＭシンボルが含まれる１つのＤｗＰＴＳにおいて、前記Ｎポート基準信号パターン内のＮポートＣＳＩ−ＲＳがマッピングされるＲＥ位置は、ＤｗＰＴＳ内の定義された８ポート基準信号パターン内のスロット０の６番目のＯＦＤＭシンボル及び７番目のＯＦＤＭシンボル内の３グループの８ポートＣＳＩ−ＲＳ、スロット０の３番目のＯＦＤＭシンボル及び４番目のＯＦＤＭシンボル内の１グループの８ポートＣＳＩ−ＲＳ、及び、スロット１の３番目のＯＦＤＭシンボル及び４番目のＯＦＤＭシンボル内の１グループの８ポートＣＳＩ−ＲＳのうちのいずれかの３グループの８ポートＣＳＩ−ＲＳがマッピングされるＲＥ位置と同様であることを特徴とする請求項３に記載の基準信号をマッピングするための方法。
【請求項１２】
１１個または１２個のＯＦＤＭシンボルが含まれる１つのＤｗＰＴＳにおいて、各グループ内のＳポートＣＳＩ−ＲＳについて、前記スロット０またはスロット１の３番目のＯＦＤＭシンボル及び４番目のＯＦＤＭシンボル内の１つのサブグループ、及び前記スロット０の６番目のＯＦＤＭシンボル及び７番目のＯＦＤＭシンボル内の１つのサブグループは、８ビット直交拡散コードを利用して８つのＲＥ上で多重化を行い、
前記スロット０またはスロット１の３番目のＯＦＤＭシンボル及び４番目のＯＦＤＭシンボル内の１つのサブグループは、前記スロット０またはスロット１の３番目のＯＦＤＭシンボル及び４番目のＯＦＤＭシンボル内の１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボル内の１つのサブグループは、前記スロット０の６番目のＯＦＤＭシンボル及び７番目のＯＦＤＭシンボル内の３グループの８ポートＣＳＩ−ＲＳをサブキャリアインデックスに従って均等に４つのサブグループに分割した後の、当該４つのサブグループのうちの１つであり、当該４つのサブグループそれぞれは６つのＲＥを占有することを特徴とする請求項９に記載の基準信号をマッピングするための方法。
【請求項１３】
１１個または１２個のＯＦＤＭシンボルが含まれる１つのＤｗＰＴＳにおいて、各グループ内のＳポートＣＳＩ−ＲＳについて、前記スロット０の３番目のＯＦＤＭシンボル及び４番目のＯＦＤＭシンボル内の１つのサブグループと、前記スロット１の３番目のＯＦＤＭシンボル及び４番目のＯＦＤＭシンボル内の１つのサブグループと、スロット０の６番目のＯＦＤＭシンボル及び７番目のＯＦＤＭシンボ内の１つのサブグループとは、８ビット直交拡散コードを利用して８つのＲＥ上で多重化を行い、
前記スロット０の３番目のＯＦＤＭシンボル及び４番目のＯＦＤＭシンボ内の１つのサブグループは、前記スロット０の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット１の３番目のＯＦＤＭシンボル及び４番目のＯＦＤＭシンボ内の１つのサブグループは、前記スロット１の３番目のＯＦＤＭシンボル及び４番目のＯＦＤＭシンボルの１グループの８ポートＣＳＩ−ＲＳをサブキャリアインデックスに従って均等に４つのサブグループに分割した後の、当該４つのサブグループのうちの１つであり、当該４つのサブグループそれぞれは２つのＲＥを占有し、
前記スロット０の６番目のＯＦＤＭシンボル及び７番目のＯＦＤＭシンボ内の１つのサブグループは、前記スロット０の６番目のＯＦＤＭシンボル及び７番目のＯＦＤＭシンボル内の２グループの８ポートＣＳＩ−ＲＳをサブキャリアインデックスに従って均等に４つのサブグループに分割した後の、当該４つのサブグループのうちの１つであり、当該４つのサブグループそれぞれは４つのＲＥを占有することを特徴とする請求項１０に記載の基準信号をマッピングするための方法。
【請求項１４】
Ｎポート基準信号パターンに従って、チャネル状態情報基準信号（Ｃｈａｎｎｅｌ Ｓｔａｔｅ Ｉｎｆｏｒｍａｔｉｏｎ−ｒｅｆｅｒｅｎｃｅ Ｓｉｇｎａｌ  ＣＳＩ−ＲＳ）がマッピングされるリソース要素（Ｒｅｓｏｕｒｃｅ Ｅｌｅｍｅｎｔ  ＲＥ）を決定し、Ｎは１６よりも大きい整数であり、前記Ｎポート基準信号パターン内の１つのＮポートＣＳＩ−ＲＳがマッピングされるＲＥ位置は、複数のグループの８ポート基準信号パターン内のＣＳＩ−ＲＳがマッピングされるＲＥ位置に従って決定され、Ｎ個のポートのうちのＳ個のポートごとに８ビット直交拡散コードの８つのコードワードのうちのＳ個のコードワードを利用してＣＳＩ−ＲＳを多重化し、前記８ポート基準信号パターンは、３ＧＰＰ Ｒｅｌ−１３で定義された８ポートＣＳＩ−ＲＳパターンである処理モジュールと、
前記処理モジュールによって決定されたＲＥに従ってＣＳＩ−ＲＳをリソースにマッピングするマッピングモジュールとを備えることを特徴とする基準信号をマッピングするための装置。
【請求項１５】
前記Ｎは、２０、２４、２８または３２であることを特徴とする請求項１４に記載の基準信号をマッピングするための装置。
【国際調査報告】
2019537861.tif 000016
2019537861.tif 000017
2019537861.tif 000018
2019537861.tif 000019